(57)【要約】【課題】電気ストーブの暖房範囲を局所から広範囲まで切り替えられるようにして使い勝手を向上させるとともに快適性の高い暖房装置の実現を目的としたものである。【解決手段】発熱部１５は、ハロゲンヒータ１６、及び、このハロゲンヒータ１６により発生される熱を前方に向けて反射するように曲面状の反射板１８を配設するとともに、ハロゲンヒータ１６と反射板１８の位置関係を変化させる移動手段１９を備えているので、ハロゲンヒータ１６から放射された熱が曲面状の反射板１８で反射される方向を変えることができるようになり、電気ストーブの暖房範囲を局所から広範囲まで切り替えられることができ、使用者に応じた暖房ができるようになり、使い勝手を向上させるとともに快適性の高い暖房装置の実現できるようになる。【選択図】  図１
2005024186.tif 000002
【特許請求の範囲】
【請求項１】
ベース部と、このベース部の上部に設けられる胴体部と、この胴体部の上方に位置するヘッド部と、このヘッド部の前方に配置され、このヘッド部により支持される発熱部とを備え、前記発熱部は、ハロゲンヒーター部、及び、このハロゲンヒーター部により発生される熱を前方に向けて反射するように曲面状の反射板を配設するとともに、ハロゲンヒーター部を移動させハロゲンヒーター部と反射板の位置関係を変化させる移動手段を備えた電気ストーブ。
【請求項２】
移動手段はハロゲンヒーター部と反射板の位置関係を前後方向に移動させるように構成した請求項１記載の電気ストーブ。
【請求項３】
移動手段でハロゲンヒーター部と反射板の位置関係を前後方向に移動させるとともに、ハロゲンヒータ部からの熱の反射角度を大幅に変化させるように、ハロゲンヒーター部の前後方向の移動過程の位置で、反射板の曲率を変化させる構成とした請求項２記載の電気ストーブ。
【請求項４】
反射板は移動手段でハロゲンヒーター部と反射板の位置関係を近づけたときにハロゲンヒーター部の熱が前方に集中するような曲率とし、移動手段でハロゲンヒーター部と反射板の位置関係を遠ざけたときにハロゲンヒーター部の熱が広がるような曲率としてなる請求項３記載の電気ストーブ。
【請求項５】
ハロゲンヒータの前方に使用者がハロゲンヒータの光を直接見えないようにする遮光板を配設するとともに、遮光板はハロゲンヒーター部の光が側面側に漏れないようにハロゲンヒーター部の側面部を覆うように構成した請求項３記載の電気ストーブ。
【発明の詳細な説明】
【０００１】
【発明の属する技術分野】
本発明は、電気暖房器具に利用する電気ストーブに関するものである。
【０００２】
【従来の技術】
従来、電気ストーブは種々の構成があり、近年、その中でハロゲンヒータを用いた扇風機形ストーブが用いられるようになり、この種の電気ストーブは外観を扇風機に似せてあり、持ち運びが容易で扱いやすいという利点がある。上記暖房装置は、図６，図７に示すように扇風機と同様に、ベース部１と、このベース部１の上部に設けられる胴体部２と、この胴体部２の上方に位置するヘッド部３とを備えている。扇風機の場合は、このヘッド部３の前方に羽根を有する送風部が配置されるが、暖房装置の場合は、送風部ではなく発熱部が配置される。そしてこの発熱部は、ハロゲンヒーター４と、このハロゲンヒーター４により発生される熱を前方に向けて反射する反射板５と、発熱部の最前面に設けられ、ハロゲンヒーター４と反射板５とを保護する安全網の機能を有する保護カバー６とを備えている。保護カバー６は、扇風機の場合も羽根に触らないようにするため設けられるが、暖房装置の場合も、ハロゲンヒーター４や反射板５に触らないようにするため設けられる（例えば、特許文献１参照）。
【０００３】
【特許文献１】
特開２００３−１６１４４８号公報（第４頁、第１図、第５図）
【０００４】
【発明が解決しようとする課題】
しかしながらこのような構成の電気ストーブは、暖房条件が一定であるため、使用条件に応じた暖房感を得るためには使用者と電気ストーブの位置を変化させる必要があり、例えば使用者が複数いて広範囲に暖房したい場合は使用者と電気ストーブの位置関係を離し、また、使用者が一人で局部的に暖房したいときは使用者と電気ストーブの位置関係を近づける必要があり、電気ストーブの置く場所などが規制され使い勝手の悪いものであった。
【０００５】
そこで本発明は電気ストーブの暖房範囲を局所から広範囲まで切り替えられるようにして使い勝手を向上させるとともに快適性の高い暖房装置の実現を目的としたものである。
【０００６】
【課題を解決するための手段】
前記従来の課題を解決するために、本発明の電気ストーブは、ベース部と、このベース部の上部に設けられる胴体部と、この胴体部の上方に位置するヘッド部と、このヘッド部の前方に配置され、このヘッド部により支持される発熱部とを備え、前記発熱部は、ハロゲンヒーター部、及び、このハロゲンヒーター部により発生される熱を前方に向けて反射するように曲面状の反射板を配設するとともに、ハロゲンヒーター部を移動させハロゲンヒーター部と反射板の位置関係を変化させる移動手段を備えた構成としてある。
【０００７】
上記発明によれば、発熱部は、ハロゲンヒーター部、及び、このハロゲンヒーター部により発生される熱を前方に向けて反射するように曲面状の反射板を配設するとともに、ハロゲンヒーター部と反射板の位置関係を変化させる移動手段を備えているので、ハロゲンヒーター部を移動させて、ハロゲンヒーター部から放射された熱が曲面状の反射板で反射される方向を変えることができるようになり、使用者の暖房感を変化させることができ、使い勝手を向上させるとともに快適性の高い暖房装置の実現できるようになる。
【０００８】
【発明の実施の形態】
請求項１記載の電気ストーブは、ベース部と、このベース部の上部に設けられる胴体部と、この胴体部の上方に位置するヘッド部と、このヘッド部の前方に配置され、このヘッド部により支持される発熱部とを備え、前記発熱部は、ハロゲンヒーター部、及び、このハロゲンヒーター部により発生される熱を前方に向けて反射するように曲面状の反射板を配設するとともに、ハロゲンヒーター部を移動させハロゲンヒーター部と反射板の位置関係を変化させる移動手段を備えた構成としてある。
【０００９】
そして、発熱部は、ハロゲンヒーター部、及び、このハロゲンヒーター部により発生される熱を前方に向けて反射するように曲面状の反射板を配設するとともに、ハロゲンヒーター部と反射板の位置関係を変化させる移動手段を備えているので、ハロゲンヒーター部を移動させて、ハロゲンヒーター部から放射された熱が曲面状の反射板で反射される方向を変えることができるようになり、使用者の暖房感を変化させることができ、使い勝手を向上させるとともに快適性の高い暖房装置の実現できるようになる。
【００１０】
また、請求項２記載の電気ストーブは、移動手段はハロゲンヒーター部と反射板の位置関係を前後方向に移動させるように構成してある。
【００１１】
そして、移動手段はハロゲンヒーター部と反射板の位置関係を前後方向に移動させるように構成してあるので、ハロゲンヒーター部を前後方向に移動させることで、ハロゲンヒーター部から放射された熱が曲面状の反射板で反射される方向を変えられ、電気ストーブの暖房範囲を局所から広範囲まで切り替えられるようになり、使用者に応じた暖房ができ、使用者に応じた暖房ができるようになり、使い勝手を向上させるとともに快適性の高い暖房装置の実現できるようになる。
【００１２】
また、請求項３記載の電気ストーブは、移動手段でハロゲンヒーター部と反射板の位置関係を前後方向に移動させるとともに、ハロゲンヒータ部からの熱の反射角度を大幅に変化させるように、ハロゲンヒーター部の前後方向の移動過程の位置で、反射板の曲率を変化させる構成としてある。
【００１３】
そして、移動手段でハロゲンヒーター部と反射板の位置関係を前後方向に移動させるとともに、前後方向の移動過程の位置で反射板の曲率を変化させる構成としてあるので、反射板の曲率を変化する前後方向の移動過程の位置で、ハロゲンヒーター部から放射された熱が曲面状の反射板で反射される方向を大幅に変えることができるようになり、例えば、電気ストーブの暖房範囲を局所から広範囲まで切り替えられる幅が大きくすることができるようになる。
【００１４】
また、請求項４記載の電気ストーブは、反射板は移動手段でハロゲンヒーター部と反射板の位置関係を近づけたときにハロゲンヒーター部の熱が前方に集中するような曲率とし、移動手段でハロゲンヒーター部と反射板の位置関係を遠ざけたときにハロゲンヒーター部の熱が広がるような曲率とした構成としてある。
【００１５】
そして、反射板は移動手段でハロゲンヒーター部と反射板の位置関係を近づけたときにハロゲンヒーター部の熱が前方に集中するような曲率としてあるので、ハロゲンヒーター部の熱が反射板の中央部に集中してから前方に放射されるようになり、ハロゲンヒーター部の熱を効果的に前方に局所的に放射できるようになる。また、移動手段でハロゲンヒーター部と反射板の位置関係を遠ざけたときにハロゲンヒーター部の熱が広がるような曲率とした構成としてあるので、ハロゲンヒーター部と反射板が遠くなった状態でハロゲンヒーター部の熱が効果的に広がる放射できるようになる。つまり、効果的に電気ストーブの暖房範囲を局所から広範囲まで切り替えられるようになる。
【００１６】
また、請求項５記載の電気ストーブは、ハロゲンヒータの前方に使用者がハロゲンヒータの光を直接見えないようにする遮光板を配設するとともに、遮光板はハロゲンヒーター部の光が側面側に漏れないようにハロゲンヒーター部の側面部を覆うように構成してある。
【００１７】
そして、遮光板はハロゲンヒーター部の光が側面側に漏れないようにハロゲンヒーター部の側面部と前面部を覆うように構成してあるので、使用者がどこの位置にいてもハロゲンヒータの光を直接見えないようにできるとともに、移動手段でハロゲンヒーター部と反射板の位置関係を近づけたときに、ハロゲンヒータの光が反射板側のみに放射され、より効果的に請求項４の局所暖房の効果、つまり、ハロゲンヒーター部の熱が反射板の中央部に集中してから前方に放射できるようになる。
【００１８】
【実施例】
以下本発明の実施例について、図面を参照しながら説明する。
【００１９】
（実施例１）
図１は、本発明の実施例１における電気ストーブの概略縦断面図、図２は、同電気ストーブの正面図、図３は、同電気ストーブの広角暖房時の状態を示す発熱部の要部上断面図、図４は、同電気ストーブの狭角暖房時の状態を示す発熱部の要部上断面図、図５は、同電気ストーブの制御ブロック図である。
【００２０】
図１及び図２において、１１は、室内の床面上に設置される広い平面部を有するベース部で、ベース部１１の上部に上下方向に伸びる細長形状を胴体部１２が配設してあり、さらにこの胴体部１２の上部にネック部１３と、このネック部１３の上部にヘッド部１４が配設してあり、またヘッド部１４の前方には発熱部１５を備えている。
【００２１】
発熱部１５は、その中央部に熱源となるハロゲンヒータ１６と、このハロゲンヒータ１５の前方に使用者がハロゲンヒータ１６の光を直接見えないようにハロゲンヒータ１６ー部の前面部と側面側を覆うように構成した遮光板１７と、ハロゲンヒータ１６の後方にハロゲンヒータ１６の熱源を効果的に反射させる反射板１８と、ハロゲンヒータ１６を固定し支持部２０を前後方向に移動する移動手段１９と、安全性等の理由よりハロゲンヒータ１６や反射板１８を使用者が直接触れることのないように発熱部の前面に配設されたガード部２１から形成されている。
【００２２】
そして、ハロゲンヒータ１６の前後方向の移動過程の位置で、ハロゲンヒータ１６からの熱の反射角度を大幅に変化させるように、反射板１８は２段階の曲率で変化させてあり、移動手段でハロゲンヒータ１６と反射板１８の位置関係を近づけたときにハロゲンヒータ１６の熱が前方に集中するような曲率とし、移動手段１９でハロゲンヒータ１６と反射板１８の位置関係を遠ざけたときにハロゲンヒータ１６の熱が広がるような曲率とした所定の２段階の凹面に形成されている。
【００２３】
また、図５の制御ブロック図に示すように、使用者は、操作部２２を操作することで、該電気ストーブの暖房を用いるようになり、例えば、操作部２２の暖房入り・切りＳＷ２２ａをＯＮ／ＯＦＦさせることで、制御部２３のヒータ制御部２３ａがハロゲンヒータ１６の通電をＯＮ／ＯＦＦし、暖房の入り・切りを行うようになり、また、首振り入り・切りＳＷ２２ｂをＯＮ／ＯＦＦさせることで、首振り手段制御部２３ｂが首振り手段２４の入り・切りを行うようになり、そして、暖房切換広・狭ＳＷ２２ｃをＯＮ／ＯＦＦさせることで、移動手段制御部２３ｃが移動手段１９をコントロールし、ハロゲンヒータ１６を前後に移動させるようになっている。
【００２４】
尚、移動手段１９は、モータ等を用いたピニオンとラック機構やリンク機構など、略直線運動を行う機構を用いたものでよく、ハロゲンヒータ１６と反射板１８の位置関係を前後方向に近づけたり遠ざけたりするものであれば、どのような構成でも良い。
【００２５】
ここで、移動手段１９でハロゲンヒータ１６を移動させ、反射板１８の位置関係を前後方向に移動させるように構成してあるので、ハロゲンヒータ１６と反射板１８の位置関係を前後方向に移動させることで、ハロゲンヒータ１６から放射された熱が曲面状の反射板１８で反射される方向を変えられ、電気ストーブの暖房範囲を局所から広範囲まで切り替えられるように使用者に応じた暖房ができるようになり、使用者に応じた暖房ができるようになり、使い勝手を向上させるとともに快適性の高い暖房装置の実現できるようになる。
【００２６】
また、反射板１８は移動手段１９でハロゲンヒータ１６と反射板１８の位置関係を近づけたときにハロゲンヒータ１６の熱が前方に集中するような曲率としてあるので、ハロゲンヒータ１６の熱が反射板１８の中央部に集中してから前方に放射されるようになり、ハロゲンヒータ１６の熱が効果的に前方に局所的に放射できるようになる。また、移動手段１９でハロゲンヒータ１６と反射板１８の位置関係を遠ざけたときにハロゲンヒータ１６の熱が広がるような曲率とした構成としてあるので、ハロゲンヒータ１６と反射板１８が遠くなった状態でハロゲンヒータ１６の熱が効果的に広がる放射できるようになる。つまり、効果的に電気ストーブの暖房範囲を局所から広範囲まで切り替えられるようになる。
【００２７】
そして、遮光板１７はハロゲンヒータ１６の光が側面側に漏れないようにハロゲンヒータ１６の側面部と前面部を覆うように構成してあるので、使用者がどこの位置にいてもハロゲンヒータ１６の光を直接見えないようにできるとともに、移動手段１９でハロゲンヒータ１６と反射板１８の位置関係を近づけたときに、ハロゲンヒータ１６の光が反射板１８側のみに放射され、より効果的に、ハロゲンヒータ１６の熱が反射板１８の中央部に集中してから前方に放射できるようになる。
【００２８】
なお上記実施例では、ハロゲンヒータ１６と反射板１８の位置関係を移動手段１９でハロゲンヒータ１６を移動させ前後方向に移動させるようにしたが、これはハロゲンヒータ１６を上下、左右および前後の移動できるように組み合わせてもよく、また、反射板１８を所定の２段階の凹面としたが、これは、同一曲率としてもよくまたさらに複数段階の曲率にしてもよく、その他各部の構成も本発明の目的を達成する範囲であればその構成はどのようなものであってもよい。
【００２９】
【発明の効果】
以上のように本発明は、発熱部は、ハロゲンヒータ１６、及び、このハロゲンヒータ１６により発生される熱を前方に向けて反射するように曲面状の反射板１８を配設するとともに、ハロゲンヒータ１６と反射板１８の位置関係を変化させる移動手段１９を備えているので、ハロゲンヒータ１６から放射された熱が曲面状の反射板１８で反射される方向を変えることができるようになり、使用者に応じた暖房ができ、使い勝手を向上させるとともに快適性の高い暖房装置の実現できるようになる。
【図面の簡単な説明】
【図１】本発明の実施例１における電気ストーブの概略縦断面図
【図２】同実施例１における電気ストーブの正面図
【図３】同実施例１における電気ストーブの広角暖房時の状態を示す発熱部の要部上断面図
【図４】同実施例１における電気ストーブの狭角暖房時の状態を示す発熱部の要部上断面図
【図５】同実施例１における電気ストーブの制御ブロック図
【図６】従来の電気ストーブの斜視図
【図７】同従来の電気ストーブの発熱部の詳細図
【符号の説明】
１１  ベース部
１２  胴体部
１４  ヘッド部
１５  発熱部
１６  ハロゲンヒータ
１７  遮光板
１８  反射板
１９  移動手段
【図１】
2005024186.tif 000003
【図２】
2005024186.tif 000004
【図３】
2005024186.tif 000005
【図４】
2005024186.tif 000006
【図５】
2005024186.tif 000007
【図６】
2005024186.tif 000008
【図７】
2005024186.tif 000009